【手続補正書】
【提出日】平成26年2月13日(2014.2.13)
【手続補正１】
【補正対象書類名】特許請求の範囲
【補正対象項目名】全文
【補正方法】変更
【補正の内容】
【特許請求の範囲】
【請求項１】
使用者（Ｓ）が着座する座部（１１）と、この座部（１１）の後方に設けられ且つ使用者（Ｓ）が凭れる背凭れ部（１２）を有した椅子であって、
前記座部（１１）は、左右の座支持フレーム（１３・１３）間に、破断伸度６０％以上で１０％伸長後の弾性回復率９０％以上の弾性糸条を使用した座弾性布帛（Ｄ１）を張設して、座面（１４）が形成され、
前記背凭れ部（１２）は、左右の背支持フレーム（１５・１５）間に、破断伸度６０％以上で１０％伸長後の弾性回復率９０％以上の弾性糸条を使用した背弾性布帛（Ｄ２）を張設して、背凭れ面（１６）が形成され、
前記座面（１４）は、前記左右の座支持フレーム（１３・１３）の前部で上方湾曲する座湾曲部（１７・１７）に沿って張設されることで、上方隆起した座面前部（１４ａ）が形成されていて、
この座面前部（１４ａ）の下方で左右方向に沿って配備された回転軸（１８）回りに、前記座部（１１）と背凭れ部（１２）を一体的に回動させて角度変更する切替機構（１９）が設けられていることを特徴とする椅子。
【請求項２】
前記切替機構（１９）の前方では、前記左右の座湾曲部（１７・１７）にそれらの各前端から延びて前方膨出状に湾曲している座前部フレーム（４４）が左右それぞれ設けられ、
これらの左右の座前部フレーム（４４・４４）間にも、前記座弾性布帛（Ｄ１）を張設していることを特徴とする請求項１に記載の椅子。
【請求項３】
前記座弾性布帛（Ｄ１）と背弾性布帛（Ｄ２）は、１つの弾性布帛（Ｄ）によって構成され、前記左右の座支持フレーム（１３・１３）と左右の背支持フレーム（１５・１５）に亘って張設されていることを特徴とする請求項１又は２に記載の椅子。
【請求項４】
前記座弾性布帛（Ｄ１）と背弾性布帛（Ｄ２）は、それぞれ別の弾性布帛によって構成されていることを特徴とする請求項１又は２に記載の椅子。
【請求項５】
前記座支持フレーム（１３）を上方に付勢する付勢手段（２３）が設けられていることを特徴とする請求項１〜４の何れか１項に記載の椅子。
【請求項６】
使用者（Ｓ）が着座する座部（１１）と、この座部（１１）の後方に設けられ且つ使用者（Ｓ）が凭れる背凭れ部（１２）を有した椅子であって、
前記座部（１１）は、左右の座支持フレーム（１３・１３）間に、弾性糸条を使用した座弾性布帛（Ｄ１）を張設して、座面（１４）が形成され、
前記背凭れ部（１２）は、左右の背支持フレーム（１５・１５）間に、弾性糸条を使用した背弾性布帛（Ｄ２）を張設して、背凭れ面（１６）が形成され、
前記座面（１４）は、前記左右の座支持フレーム（１３・１３）の前部で上方湾曲する座湾曲部（１７・１７）に沿って張設されることで、上方隆起した座面前部（１４ａ）が形成されていて、
この座面前部（１４ａ）の下方で左右方向に沿って配備され且つ前記座部（１１）と背凭れ部（１２）を一体的に回動可能に支持する回転軸（１８）が設けられ、
この回転軸（１８）の前方では、前記左右の座湾曲部（１７・１７）にそれらの各前端から延びて前方膨出状に湾曲している座前部フレーム（４４）が左右それぞれ設けられ、
これらの左右の座前部フレーム（４４・４４）間にも、前記座弾性布帛（Ｄ１）を張設していることを特徴とする椅子。
【手続補正２】
【補正対象書類名】明細書
【補正対象項目名】発明の名称
【補正方法】変更
【補正の内容】
【発明の名称】骨盤回動に着目した椅子
【手続補正３】
【補正対象書類名】明細書
【補正対象項目名】０００９
【補正方法】変更
【補正の内容】
【０００９】
本発明に係る椅子の第２の特徴は、上記第１の特徴に加えて、前記切替機構１９の前方では、前記左右の座湾曲部１７・１７にそれらの各前端から延びて前方膨出状に湾曲している座前部フレーム４４が左右それぞれ設けられ、これらの左右の座前部フレーム４４・４４間にも、前記座弾性布帛Ｄ１を張設している点にある。
【手続補正４】
【補正対象書類名】明細書
【補正対象項目名】００１０
【補正方法】変更
【補正の内容】
【００１０】
本発明に係る椅子の第３の特徴は、上記第１又は２の特徴に加えて、前記座弾性布帛Ｄ１と背弾性布帛Ｄ２は、１つの弾性布帛Ｄによって構成され、前記左右の座支持フレーム１３・１３と左右の背支持フレーム１５・１５に亘って張設されている点にある。
【手続補正５】
【補正対象書類名】明細書
【補正対象項目名】００１１
【補正方法】変更
【補正の内容】
【００１１】
本発明に係る椅子の第４の特徴は、上記第１又は２の特徴に加えて、前記座弾性布帛Ｄ１と背弾性布帛Ｄ２は、それぞれ別の弾性布帛によって構成されている点にある。
【手続補正６】
【補正対象書類名】明細書
【補正対象項目名】００１２
【補正方法】変更
【補正の内容】
【００１２】
本発明に係る椅子の第５の特徴は、上記第１〜４の何れかの特徴に加えて、前記座支持フレーム１３を上方に付勢する付勢手段２３が設けられている点にある。
【手続補正７】
【補正対象書類名】明細書
【補正対象項目名】００１３
【補正方法】変更
【補正の内容】
【００１３】
本発明に係る椅子の第６の特徴は、使用者Ｓが着座する座部１１と、この座部１１の後方に設けられ且つ使用者Ｓが凭れる背凭れ部１２を有した椅子であって、前記座部１１は、左右の座支持フレーム１３・１３間に、弾性糸条を使用した座弾性布帛Ｄ１を張設して、座面１４が形成され、前記背凭れ部１２は、左右の背支持フレーム１５・１５間に、弾性糸条を使用した背弾性布帛Ｄ２を張設して、背凭れ面１６が形成され、前記座面１４は、前記左右の座支持フレーム１３・１３の前部で上方湾曲する座湾曲部１７・１７に沿って張設されることで、上方隆起した座面前部１４ａが形成されていて、この座面前部１４ａの下方で左右方向に沿って配備され且つ前記座部１１と背凭れ部１２を一体的に回動可能に支持する回転軸１８が設けられ、この回転軸１８の前方では、前記左右の座湾曲部１７・１７にそれらの各前端から延びて前方膨出状に湾曲している座前部フレーム４４が左右それぞれ設けられ、これらの左右の座前部フレーム４４・４４間にも、前記座弾性布帛Ｄ１を張設している点にある。
【手続補正８】
【補正対象書類名】明細書
【補正対象項目名】００１４
【補正方法】変更
【補正の内容】
【００１４】
これらの特徴により、本発明に係る椅子１では、座部１１は、左右の座支持フレーム１３・１３間に、破断伸度６０％以上で１０％伸長後の弾性回復率９０％以上などの弾性糸条を使用した座弾性布帛Ｄ１を張設して、座面１４が形成され、背凭れ部１２は、左右の背支持フレーム１５・１５間に、破断伸度６０％以上で１０％伸長後の弾性回復率９０％以上などの弾性糸条を使用した背弾性布帛Ｄ２を張設して、背凭れ面１６が形成されていることから、使用者Ｓの臀部や腰部を、所定広さの面で支えることが可能となり、使用者Ｓに対する過度の圧迫を抑制できる。
又、左右の座支持フレーム１３・１３の前部で上方湾曲する座湾曲部１７・１７に沿って張設されることで、上方隆起した座面前部１４ａが形成され、座面前部１４ａ下方の回転軸１８回りに、座部１１と背凭れ部１２を一体的に回動させて角度変更することから、座部１１と背凭れ部１２の角度が変わっても、座面前部１４ａから椅子１の設置面までの高さは変わらないと共に、座面前部１４ａによって、座面１４に対する使用者Ｓの臀部の転がりを許容しながら、使用者Ｓが前方へ落ちることを防ぐため、使用者Ｓは、椅子１の角度変更に拠らず、足を設置面にしっかり付けることが出来、姿勢の安定化が図れる。
これと同時に、座部１１と背凭れ部１２が一体回動、つまり、使用者Ｓは前傾や後傾することによって、座面１４上を臀部が転がり、臀部と座部１１の接触位置Ｐ１や、腰部と背凭れ部１２の接触位置Ｐ２のズレ（相対的な移動）に応じて、弾性布帛で形成された座面１４及び背凭れ面１６自体が変形して、使用者Ｓの臀部と座部１１や、使用者Ｓの腰部と背凭れ部１２の接触位置がずれても、使用者Ｓの臀部や腰部を、所定広さの面で、同様に支えることが出来る。
従って、切替機構１９などによって、使用者Ｓにかかる荷重方向に応じて、臀部と座部１１及び腰部と背凭れ部１２の接触位置がずれることを許容すると共に、使用者Ｓの姿勢変更を、切替動作１つで兼ねることが可能となって、使用者の緊張を、複雑な操作なしに容易に緩和することが出来る。
更に、このような動きをする椅子１は、リンクや案内溝等を一切用いることなく、「使用者Ｓと椅子１の位置ズレの許容」と「使用者Ｓの姿勢変更」の兼用を実現していることから、部品点数が非常に少なくなると共に、構造の簡素化や、重量の低減（軽量化）を図ることが出来る。
【手続補正９】
【補正対象書類名】明細書
【補正対象項目名】００１５
【補正方法】変更
【補正の内容】
【００１５】
座弾性布帛Ｄ１と背弾性布帛Ｄ２を、１つの弾性布帛Ｄによって構成し、左右の座支持フレーム１３・１３と左右の背支持フレーム１５・１５に亘って張設しても良く、又は、それぞれ別の弾性布帛によって構成しても良い。これによって、各座支持フレーム１３と各背支持フレーム１５が、連結されているか、分離しているかに応じて、弾性布帛を張設することが出来、支持フレームの構成の自由度が上がる。
【手続補正１０】
【補正対象書類名】明細書
【補正対象項目名】００１６
【補正方法】変更
【補正の内容】
【００１６】
更に、座支持フレーム１３を上方に付勢する付勢手段２３によって、使用者Ｓを下方から支えることが出来、腰を浮かせたり、立ち上がる際の負担を軽減できる。
【手続補正１１】
【補正対象書類名】明細書
【補正対象項目名】００１７
【補正方法】変更
【補正の内容】
【００１７】
この他、椅子は、前記切替機構１９は、前記座部１１を略水平にする前姿勢Ｆと、この前姿勢Ｆより座部１１を後傾させる中姿勢Ｎと、この中姿勢Ｎより座部１１を更に後傾させる後姿勢Ｂとに、前記座部１１と背凭れ部１２を一体的に角度変更する場合もある。
又、椅子は、前記座部１１と背凭れ部１２が中姿勢Ｎである時に、前記上方隆起した座面前部１４ａの隆起高さＴが２９ｍｍ以上３７ｍｍ以下である場合もある。
更に、椅子は、前記切替機構１９は、前記座支持フレーム１３の下面に当接して前記座部１１を所定の角度で保持する当接面２０が２つ以上形成されたカム２１と、このカム２１を回転させて当接する当接面２０を切り替える回転手段２２を備えている場合もある。
【手続補正１２】
【補正対象書類名】明細書
【補正対象項目名】００１８
【補正方法】変更
【補正の内容】
【００１８】
切替機構１９で、座部１１を略水平にする前姿勢Ｆに角度変更する場合には、立位時と同様に、背骨を湾曲状態とした使用者Ｓは、高重量を占める頭部（頚椎）を体の重心である骨盤（座骨結節Ｋ）の鉛直上方に位置させることで頭部と背骨を支えることが可能となり、更に、立位状態のように頚椎が骨盤の鉛直上方にあれば、頭蓋骨における顎の骨（下顎骨）が本来の噛み合わせ位置にくる（噛む力・話す力のサポート）。
図６（ａ）に示したように、前姿勢Ｆの時には、座面１４自体も略水平（座面前部１４ａが、座面１４の後部と略同じ高さ位置か、若干高い位置）になる。この前姿勢Ｆの時であっても、使用者Ｓの体重（荷重）は鉛直下方向に掛かり、座面１４（座弾性布帛Ｄ１）において、使用者Ｓの座骨結節Ｋと当接する部分が、最も下方へ撓む（沈み込む）。
この下方への撓みが、使用者Ｓの座骨結節Ｋを包み込むポケットの役割を果たし、座骨を安定させると同時に、座部１１を前傾させた（前姿勢Ｆにした）際にも、使用者Ｓの座骨（臀部）が前方へずれ落ちるのを防止できる。
尚、この前方ずれ落ち防止は、一般の前すべり防止椅子（座板の上に、ウレタン又は綿などのクッション材で座面前部を盛り上げて、座面をバケット状に形成している椅子）に比べて、弾性布帛Ｄを用いた本発明の方が、効果が高い。
それは、一般の前すべり防止椅子では、座部を前傾させた際に、座板自体が前傾し、座面前部のクッション材が体重を支えようとするので、クッション材が柔らかかったり、ヘタリが発生するからである。
更に、切替機構１９で、前姿勢Ｆより座部１１を後傾させる中姿勢Ｎに角度変更する場合には、使用者Ｓ自らほぼ自分の体重を支えていた前姿勢Ｆよりも、背凭れ部１２に体重を預けることで、使用者Ｓにかかる負担が減り、より緊張が緩和した状態で、ＴＶ鑑賞等をすることが出来る。
これに加え、切替機構１９で、中姿勢Ｎより座部１１を更に後傾させる後姿勢Ｂに角度変更する場合には、中姿勢Ｎよりも、使用者Ｓの体重を背凭れ部１２側に預けることが可能となり、使用者Ｓは、姿勢保持に必要な力を更に低減でき、更にリラックスした状態で着座が可能となる。
更に、図１及び図６（ｂ）に示した如く、座部１１と背凭れ部１２が中姿勢Ｎである時に、上方隆起した座面前部１４ａの隆起高さＴを２９ｍｍ以上３７ｍｍ以下とする場合には、着座する使用者Ｓの座骨結節Ｋから大腿部裏側に亘る部分に応じて、座面１４（座弾性布帛Ｄ１）が、連続的に下方へ撓む（沈み込む）ことが可能となる。
従って、使用者Ｓの大腿部裏側を過度に圧迫することなく、使用者Ｓの座骨結節Ｋから大腿部に沿って包み込むポケットが、座面１４（座弾性布帛Ｄ１）に形成され、使用者Ｓの姿勢が安定する。
一方、一般の前すべり防止椅子では、座板をフラットにした際に、クッション材による座面前部の盛上りで、大腿部裏側に圧力が掛かって使用者Ｓに圧迫感を与えることとなる。
尚、座面前部１４ａの隆起高さＴとは、「座部１１及び背凭れ部１２が中姿勢Ｎである際において、座面１４最下点から座面前部１４ａ最上点までの高さ」を指す。
切替機構１９に、座支持フレーム１３の下面に当接する当接面２０が２つ以上形成されたカム２１と、カム２１を回転させる回転手段２２を備えた場合には、座支持フレーム１３を上方に付勢する付勢手段２３を設けた際に、使用者Ｓが椅子１の角度変更する際に、少し腰を浮かせたり、立ち上がることで、座支持フレーム１３下面からカム２１の当接面２０が離れて、カム２１を容易に回転させることが可能となる。